Podtech/llm-jp-corpus-v4-ja_patent huggingface dataset:
【手続補正書】
【提出日】平成29年1月12日(2017.1.12)
【手続補正１】
【補正対象書類名】特許請求の範囲
【補正対象項目名】請求項１
【補正方法】変更
【補正の内容】
【請求項１】
インペラがモータに、当該モータと当該インペラとの間に回転自在に支持された回転軸（３４）を介して連結されたポンプ（１４）であって、当該モータと当該インペラとの間の当該回転軸の周りに介在するシールハウジング（３２）が、当該回転軸を取り囲み、当該回転軸の回転が減速するか停止した後、当該回転軸を取り囲む環状部（１７４）の流体が当該運転停止シールを介して漏洩するのを防止する運転停止シール（１７０）を有し、当該運転停止シールは、
対向端部を有し、内径が当該環状部（１７４）の一部を画定し、当該回転軸の回転中は当該内径が当該回転軸から離隔するように当該回転軸（３４）を取り囲む拘束自在の割りリング（１７２）と、
当該回転軸（３４）の通常動作時は当該割りリング（１７２）の当該対向端部間に位置して、当該対向端部間に環状空間を維持し、当該流体の温度が所定温度以上に上昇すると当該対向端部間から離脱して、当該割りリングが当該環状部（１７４）の一部を狭窄または実質的に封止する拘束状態になるように作動可能なスペーサ（１７６）と、
流体の流れ方向において当該割りリング（１７２）の上流で当該回転軸（３４）に沿って当該回転軸を取り囲み、内径が当該回転軸の回転中は当該回転軸から離隔して当該環状部（１７４）の一部を画定するほぼ剛性の保持リング（１８０）と、
当該割りリング（１７２）と当該保持リング（１８０）との間で当該回転軸（３４）を取り囲み、内径が当該回転軸の回転中は当該回転軸から離隔して当該環状部（１７４）の一部を画定し、当該割りリングが当該回転軸の方へ移動し当該環状部内に入る拘束状態になると発生する圧力差により当該回転軸の方へ押圧される柔軟なポリマーリング（１７８）と、
当該流体の温度が所定温度より上昇すると当該スペーサ（１７６）を当該割りリング（１７２）の当該対向端部間から離脱させ、当該割りリングを拘束状態にして当該環状部（１７４）の一部を狭窄または実質的に封止できるアクチュエータ（１８４）であって、
軸方向部分を有するシリンダ（２１６）、
当該シリンダ内で軸方向に移動可能なピストン（１９６）であって、当該ピストンの周りで当該シリンダの上端部と下端部とが密封されるピストン（１９６）、
一方の端部が当該ピストン（１９６）に接続され、別の端部が当該スペーサ（１７６）に接続されたピストン棒（１９６）、
当該シリンダ（２１６）内の当該上端部と当該下端部との間の、当該ピストン（１９６）が移動する、空間を占めるキャビティであって、当該スペーサ（１７６）が当該割りリング（１７２）の当該対向端部間に位置する時、当該ピストンの直径が異なる２つ以上の軸方向部分が当該キャビティの空間内にあり、当該ピストンの最大直径の軸方向部分が当該ピストンの移動方向において小さい直径の軸方向部分より先にあるため、当該ピストンが移動すると当該スペーサが当該割りリングの当該対向端部から離脱することを特徴とするキャビティ、および
当該キャビティ内の当該空間の少なくとも一部を占める材料（１８８）であって、当該材料が温度上昇に伴って膨張してその温度が所定温度を超えると、当該ピストン（１９６）に及ぼす力により、当該ピストンが当該スペーサ（１７６）を当該対向端部間から離脱させる方向へ移動することを特徴とする材料（１８８）
から成るアクチュエータ（１８４）と
を具備することを特徴とするポンプ（１４）。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
（ａ）約２ｍｇから約１０ｍｇまでの硫酸モルヒネあるいはその水和物；
（ｂ）塩化ナトリウム；
（ｃ）緩衝剤に対する硫酸モルヒネのモル比が約０．４から約１．３となる量で、且つ製剤に約５のｐＨを与え、緩衝剤に共役塩基を提供するのに十分な量の緩衝剤を含む緩衝系；
（ｄ）エデト酸二ナトリウムあるいはその水和物；
（ｅ）塩化カルシウムあるいはその水和物；及び
（ｆ）注射用水、
を１ｍＬにつき含むことを特徴とする、注射可能な医薬製剤。
【請求項２】
（ａ）約４ｍｇから１０ｍｇまでの間の硫酸モルヒネあるいはその水和物；及び
（ｃ）緩衝剤に対する硫酸モルヒネのモル比が約０．４から０．８となる量で、且つ製剤に約５のｐＨを与えるのに十分な量の緩衝剤；
を含むことを特徴とする、請求項１記載の製剤。
【請求項３】
緩衝系がクエン酸一水和物とクエン酸ナトリウム二水和物を含むことを特徴とする、請
求項１記載の製剤。
【請求項４】
製剤は少なくとも１４日間８０℃で安定であることを特徴とする、請求項１記載の製剤。
【請求項５】
（ａ）約２ｍｇから約１０ｍｇまでの硫酸モルヒネ五水和物；
（ｂ）約７ｍｇから約９ｍｇまでの塩化ナトリウム；
（ｃ）約２ｍｇから約４ｍｇまでのクエン酸ナトリウム二水和物；
（ｄ）約０．７ｍｇから約１．２ｍｇのクエン酸一水和物；
（ｅ）約０．１ｍｇから約０．１５ｍｇのエデト酸二ナトリウム二水和物；
（ｆ）約０．０４ｍｇから約０．０６ｍｇの塩化カルシウム二水和物；及び
（ｇ）注射用水、
を１ｍＬにつき含むことを特徴とする、医薬製剤。
【請求項６】
製剤は酸素の透過性を低くし、脱酸素剤をさらに含む第２の包装容器に保存されている、ガラス容器に保存されることを特徴とする、請求項１記載の製剤。
【請求項７】
（ａ）モルヒネ、又はその塩、あるいはその水和物；
（ｂ）等張剤；
（ｃ）抗酸化特性を有する緩衝剤；
（ｄ）キレート剤；
（ｅ）キレート剤に対する相補物；及び
（ｆ）水、
を含み、等張剤は、塩化ナトリウム、塩化カルシウム、塩化カリウム、重炭酸ナトリウム、乳酸ナトリウム、リンゲル液、デキストロース、ラクトース、マンニトール、グルコース、グリセリン、デキストラン、Ｎｏｒｍｏｓｏｌ  Ｒ、食塩水、ハルトマン液、およびそれらの混合物並びにそれらの組み合わせから選択されることを特徴とする、医薬製剤。
【請求項８】
等張剤は塩化ナトリウムであることを特徴とする、請求項７記載の製剤。
【請求項９】
緩衝剤は、緩衝剤に対するモルヒネのモル比が約０．４から約１．３となる量であることを特徴とする、請求項７記載の製剤。
【請求項１０】
緩衝剤は、無水クエン酸とその水和物、及び無水のクエン酸ナトリウムとその水和物を含む緩衝液を形成することを特徴とする、請求項７記載の製剤。
【請求項１１】
緩衝剤は、製剤に約４．５から約５．５までのｐＨを与えるのに十分な量であることを特徴とする、請求項７記載の製剤。
【請求項１２】
（ａ）約２ｍｇから約１５ｍｇまでの硫酸モルヒネ五水和物；
（ｂ）等張剤；
（ｃ）緩衝剤に対する硫酸モルヒネのモル比が約０．４〜約１．３となる量で、且つ製剤にｐＨ５を与えるのに十分な量の緩衝剤；
（ｄ）キレート剤；
（ｅ）キレート剤に対する相補物；及び
（ｆ）水、
を１ｍＬにつき含むことを特徴とする、請求項７記載の製剤。
【請求項１３】
製剤は、少なくとも１４日間８０℃で安定であることを特徴とする、請求項７記載の製剤。
【請求項１４】
製剤は、酸素への透過性を低くし脱酸素剤をさらに含む第２の容器に保存される、ガラス又はプラスチック容器に保存されることを特徴とする、請求項７記載の製剤。
【請求項１５】
（ａ）請求項７記載の製剤を含む、予め充填されたシリンジ；及び
（ｂ）酸素の透過性を低くし、脱酸素剤をさらに含む第２の包装容器、を含むキット。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ＥＴＡ受容体アンタゴニストを含む、被験者における急性腎障害を治療するための医薬組成物。
【請求項２】
前記急性腎障害が、虚血誘発性腎障害である請求項１に記載の医薬組成物。
【請求項３】
前記急性腎障害が、低酸素誘発性腎障害である請求項１に記載の医薬組成物。
【請求項４】
前記ＥＴＡ受容体アンタゴニストがアトラセンタンまたはその医薬として許容され得る塩である、請求項１に記載の医薬組成物。
【請求項５】
治療が、前記急性腎障害の発症または診断後に前記ＥＴＡ受容体アンタゴニストを投与することを含む、請求項１に記載の医薬組成物。
【請求項６】
治療が、前記急性腎障害から少なくとも２４時間後に前記ＥＴＡ受容体アンタゴニストを投与することを含む、請求項５に記載の医薬組成物。
【請求項７】
治療が、前記被験者が臨床的急性腎不全を発病した後に前記ＥＴＡ受容体アンタゴニストを投与することを含む、請求項５に記載の医薬組成物。  
【請求項８】
ＥＴＡ受容体アンタゴニストを含む、被験者における虚血誘発性腎障害または低酸素誘発性腎障害を治療するための医薬組成物。
【請求項９】
虚血誘発性腎障害または低酸素誘発性腎障害を有する被験者において慢性腎臓病への進行を遅延させるための、ＥＴＡ受容体アンタゴニストを含む医薬組成物。
【請求項１０】
被験者において虚血後または低酸素後腎臓損傷を回復に向かわせるための、ＥＴＡ受容体アンタゴニストを含む医薬組成物。
【請求項１１】
虚血誘発性腎障害または低酸素誘発性腎障害を有している被験者において腎質量または腎容積の減少を抑制するための、ＥＴＡ受容体アンタゴニストを含む医薬組成物。
【請求項１２】
被験者における急性腎障害の指標を低下させるための、ＥＴＡ受容体アンタゴニストを含む医薬組成物であって、前記低下させることが、
被験者を、急性腎障害を有すると診断し；
急性腎障害指標の第１回測定を実施し；
前記被験者に対してＥＴＡ受容体アンタゴニストを投与し；
前記被験者に対して前記ＥＴＡ受容体アンタゴニストを一定期間投与した後、急性腎障害指標の第２回測定を実施する；
ことを含み、
前記第１回測定値と第２回測定値の差が有意でない、医薬組成物。
【請求項１３】
前記急性腎障害が虚血誘発性または低酸素誘発性である、請求項１２に記載の医薬組成物。
【請求項１４】
前記急性腎障害指標が腎質量、腎容積、糸球体濾過量、血清クレアチニン、血液尿素窒素または炎症のマーカーである、請求項１２に記載の医薬組成物。  
【請求項１５】
被験者の急性腎障害を診断し治療するための、ＥＴＡ受容体アンタゴニストを含む医薬組成物であって、前記診断および治療が、
虚血誘発性腎障害または低酸素誘発性腎障害の指標のレベルを測定し；
測定したレベルが虚血誘発性腎障害または低酸素誘発性腎障害を示すかを決定し；
虚血誘発性腎障害または低酸素誘発性腎障害を患っている被験者に対してＥＴＡ受容体アンタゴニストを投与する；
ことを含む、組成物。
【請求項１６】
虚血誘発性腎障害または低酸素誘発性腎障害の前記指標が尿細管障害残留物、腎臓中で発現したＥＴ−１  ｍＲＮＡ、ＥＴＡ受容体ｍＲＮＡ、ＮＧＡＬ  ｍＲＮＡのレベル、ラクテートまたは炎症のマーカーである、請求項１５に記載の組成物。
【請求項１７】
前記ＥＴＡ受容体アンタゴニストが、アトラセンタンまたはその医薬として許容され得る塩である、請求項８〜１４のいずれか１項に記載の医薬組成物または請求項１５〜１６のいずれか１項に記載の組成物。
【請求項１８】
腎障害後、前記ＥＴＡ受容体アンタゴニストを投与する、請求項８〜１４のいずれか１項に記載の医薬組成物または請求項１５〜１６のいずれか１項に記載の組成物。
【請求項１９】
腎障害から少なくとも２４時間後に前記ＥＴＡ受容体アンタゴニストを投与する、請求項８〜１４のいずれか１項に記載の医薬組成物または請求項１５〜１６のいずれか１項に記載の組成物。
【請求項２０】
前記被験者が臨床的急性腎不全を発病した後にＥＴＡ受容体アンタゴニストを投与する、請求項８〜１４の医薬組成物または請求項１５〜１６のいずれか１項に記載の組成物。
【手続補正書】
【提出日】平成29年2月28日(2017.2.28)
【手続補正１】
【補正対象書類名】明細書
【補正対象項目名】００３８
【補正方法】変更
【補正の内容】
【００３８】
本開示の様々な修正及び変更は、本開示の範囲及び原理から逸脱することなしに当業者には明白であり、また、本開示は、本明細書に記載した例示的な実施形態に不当に制限されるものではないと理解すべきである。本発明の実施態様の一部を以下の項目［１］−［２２］に記載する。
［項目１］
ポリチオエーテルポリマーに放射線硬化可能な組成物であって、
ａ）少なくとも１つのジチオールモノマーと、
ｂ）少なくとも１つのジエンモノマーと、
ｃ）少なくとも２つのエチン基を含む少なくとも１つのポリインモノマーと、
ｄ）少なくとも１つの光開始剤と、を含む、組成物。
［項目２］
ポリチオエーテルポリマーに放射線硬化可能な組成物であって、
ａ）少なくとも１つのジチオールモノマーと、
ｂ）少なくとも１つのジエンモノマーと、
ｃ）少なくとも１つのジインモノマーと、
ｄ）少なくとも１つの光開始剤と、を含む、組成物。
［項目３］
ｅ）少なくとも１つのエポキシ樹脂を更に含む、項目１又は２に記載の組成物。
［項目４］
ポリチオエーテルポリマーに放射線硬化可能な組成物であって、
ｆ）少なくとも１つのチオール末端ポリチオエーテルポリマーと、
ｇ）少なくとも１つのジインモノマーと、
ｈ）少なくとも１つの光開始剤と、を含む、組成物。
［項目５］
前記少なくとも１つのチオール末端ポリチオエーテルポリマーがペンダント基としてヒドロキシ基を含む、項目４に記載の組成物。
［項目６］
ｉ）少なくとも１つの充填剤を更に含む、項目１〜５のいずれか一項に記載の組成物。
［項目７］
ｊ）少なくとも１つのナノ粒子である充填剤を更に含む、項目１〜６のいずれか一項に記載の組成物。
［項目８］
ｋ）炭酸カルシウムを更に含む、項目１〜７のいずれか一項に記載の組成物。
［項目９］
ｌ）ナノ粒子である炭酸カルシウムを更に含む、項目１〜８のいずれか一項に記載の組成物。
［項目１０］
硬化の際に視覚的に色が変化する、項目１〜９のいずれか一項に記載の組成物。
［項目１１］
化学線光源によって硬化可能である、項目１〜１０のいずれか一項に記載の組成物。
［項目１２］
青色光源によって硬化可能である、項目１〜１１のいずれか一項に記載の組成物。
［項目１３］
ＵＶ光源によって硬化可能である、項目１〜１２のいずれか一項に記載の組成物。
［項目１４］
項目１〜１３のいずれか一項に記載の組成物を含むシーラント。
［項目１５］
項目１〜１３のいずれか一項に記載の組成物のいずれかの放射線硬化により得られる、分枝状ポリチオエーテルポリマー。
［項目１６］
−５５℃未満のＴｇを有する、項目１６に記載の分枝状ポリチオエーテルポリマー。
［項目１７］
自動車技術者協会（ＳＡＥ）国際規格ＡＳ５１２７／１に従って測定するとき、体積膨潤が３０％未満かつ重量増加が２０％未満であることを特徴とする、高いジェット燃料耐性を呈する、項目１５又は１６のいずれか一項に記載の分枝状ポリチオエーテルポリマー。
［項目１８］
項目１５〜１７のいずれか一項に記載の分枝状ポリチオエーテルポリマーを含む、シール。
［項目１９］
透明である、項目１４に記載のシーラント。
［項目２０］
半透明である、項目１４に記載のシーラント。
［項目２１］
透明である、項目１７に記載のシール。
［項目２２］
半透明である、項目１７に記載のシール。
【手続補正２】
【補正対象書類名】特許請求の範囲
【補正対象項目名】全文
【補正方法】変更
【補正の内容】
【特許請求の範囲】
【請求項１】
ポリチオエーテルポリマーに放射線硬化可能な組成物であって、
ａ）少なくとも１つのジチオールモノマーと、
ｂ）少なくとも１つのジエンモノマーと、
ｃ）少なくとも２つのエチン基を含む少なくとも１つのポリインモノマーと、
ｄ）少なくとも１つの光開始剤と、を含む、組成物。
【請求項２】
ポリチオエーテルポリマーに放射線硬化可能な組成物であって、
ａ）少なくとも１つのジチオールモノマーと、
ｂ）少なくとも１つのジエンモノマーと、
ｃ）少なくとも１つのジインモノマーと、
ｄ）少なくとも１つの光開始剤と、を含む、組成物。
【請求項３】
ｅ）少なくとも１つのエポキシ樹脂を更に含む、請求項１又は２に記載の組成物。
【請求項４】
ポリチオエーテルポリマーに放射線硬化可能な組成物であって、
ｆ）少なくとも１つのチオール末端ポリチオエーテルポリマーと、
ｇ）少なくとも１つのジインモノマーと、
ｈ）少なくとも１つの光開始剤と、を含む、組成物。
【請求項５】
前記少なくとも１つのチオール末端ポリチオエーテルポリマーがペンダント基としてヒドロキシ基を含む、請求項４に記載の組成物。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
繊維性基材を含浸するための液体（メタ）アクリルシロップであって、前記繊維性基材は屈折率ｎ１を有する長いガラス繊維からなり、前記含浸シロップは、
ａ）（メタ）アクリルモノマー、
ｂ）ｎ３≧ｎ１であるような屈折率ｎ３の少なくとも１つの構成成分
を含むことを特徴とし、前記（メタ）アクリルシロップは、ｎ１に近づく傾向がある屈折率ｎ４、及び１０ｍＰａ．ｓ〜１００００ｍＰａ．ｓ、好ましくは５０ｍＰａ．ｓ〜５０００ｍＰａ．ｓ、有利なことには１００ｍＰａ．ｓ〜１０００ｍＰａ．ｓの動的粘度を有する、液体（メタ）アクリルシロップ。
【請求項２】
前記液体（メタ）アクリルシロップが：
ｃ）屈折率ｎ２の（メタ）アクリルポリマーを含むことを特徴とする、請求項１に記載の液体（メタ）アクリルシロップ。
【請求項３】
前記少なくとも１つの構成成分ｂ）が：
−前記総液体（メタ）アクリルシロップの少なくとも１０重量％、好ましくは少なくとも１５重量％、有利なことには少なくとも２０重量％、より有利なことには少なくとも２５重量％の割合で存在するスチレン−無水マレイン酸；又は
−前記総液体（メタ）アクリルシロップの少なくとも１０重量％、好ましくは少なくとも１５重量％、有利なことには少なくとも２０重量％、より有利なことには少なくとも２５重量％の割合で存在するスチレン
から選択されることを特徴とする請求項１又は２に記載の液体（メタ）アクリルシロップ。
【請求項４】
前記液体（メタ）アクリルシロップが：
ａ）７０重量％〜８０重量％の（メタ）アクリルモノマー、
ｂ）２０重量％〜３０重量％のスチレン−無水マレイン酸
を含むことを特徴とする、請求項１又は３に記載の液体（メタ）アクリルシロップ。
【請求項５】
前記液体（メタ）アクリルシロップが：
ａ）５０重量％〜８０重量％の（メタ）アクリルモノマー、
ｂ）１０重量％〜２５重量％のスチレン、
ｃ）１０重量％〜２５重量％の（メタ）アクリルポリマー
を含むことを特徴とする、請求項１、２及び３の何れか一項に記載の液体（メタ）アクリルシロップ。
【請求項６】
前記液体（メタ）アクリルシロップが：
ａ）５０重量％〜８０重量％の（メタ）アクリルモノマー、
ｂ）１０重量％〜４５重量％のスチレン、
ｃ）２．５重量％〜３０重量％の（メタ）アクリルポリマー、
ｄ）２．５重量％〜３０重量％の、１０重量％〜５０重量％のスチレンを含む（メタ）アクリル−スチレンコポリマー
を含むことを特徴とする、請求項２又は５に記載の液体（メタ）アクリルシロップ。
【請求項７】
前記液体（メタ）アクリルシロップが：
ａ）５０重量％〜８０重量％の（メタ）アクリルモノマー、
ｂ）１０重量％〜４０重量％のスチレン、
ｃ）５重量％〜３０重量％の（メタ）アクリルポリマー、
ｄ）５重量％〜３０重量％の、１０重量％〜５０重量％のスチレンを含む（メタ）アクリル−スチレンコポリマー
を含むことを特徴とする、請求項６に記載の液体（メタ）アクリルシロップ。
【請求項８】
前記（メタ）アクリルポリマーが、メチルメタクリレート（ＭＭＡ）のホモポリマー若しくはコポリマー又はこれらの混合物であることを特徴とする、請求項１から７の何れか一項に記載の液体（メタ）アクリルシロップ。
【請求項９】
メチルメタクリレート（ＭＭＡ）の前記コポリマーが、少なくとも７０重量％、好ましくは少なくとも８０重量％、有利なことには少なくとも９０重量％、より有利なことには少なくとも９５重量％のメチルメタクリレート（ＭＭＡ）を含むことを特徴とする、請求項１から８の何れか一項に記載の液体（メタ）アクリルシロップ。
【請求項１０】
前記（メタ）アクリルポリマーがコモノマーを含み、前記コモノマーが１〜１２個の炭素原子を有するアルキル基を含有するアルキルアクリレートであることを特徴とする、請求項２から９の何れか一項に記載の液体（メタ）アクリルシロップ。
【請求項１１】
前記（メタ）アクリルモノマーが、アクリル酸、メタクリル酸、アルキルアクリルモノマー及びアルキルメタクリルモノマー、並びにこれらの混合物から選択され、前記アルキル基が１〜２２個の直鎖、分岐状又は環状炭素を含有し；前記アルキル基が、好ましくは１〜１２個の直鎖、分岐状又は環状炭素を含有することを特徴とする、請求項１から１０の何れか一項に記載の液体（メタ）アクリルシロップ。
【請求項１２】
繊維性基材を含浸するための含浸方法であって、前記繊維性基材が長いガラス繊維からなり、前記方法が、前記繊維性基材を、請求項１から１１の何れか一項に記載の前記（メタ）アクリルシロップで含浸する工程を含む含浸方法。
【請求項１３】
前記繊維性基材を含浸する前記含浸工程が、閉じたモールド中で行われることを特徴とする、請求項１２に記載の含浸方法。
【請求項１４】
熱可塑性（メタ）アクリルマトリックス及び強化材として使用される繊維性基材を含む透明ポリマー性複合材料であって、ここで前記繊維性基材は長いガラス繊維からなり、前記複合材料は、前記熱可塑性（メタ）アクリルマトリックスが、請求項１から１１の何れか一項に記載の液体（メタ）アクリルシロップでプレ含浸された前記繊維性基材の重合後に得られることを特徴とする、複合材料。
【請求項１５】
以下の工程を含む、透明複合部品を製造するための方法：
ａ）長いガラス繊維からなる繊維性基材を請求項１から１１の何れか一項に記載の液体（メタ）アクリルシロップで含浸する工程、
ｂ）前記繊維性基材を含浸した前記液体（メタ）アクリルシロップを重合する工程。
【請求項１６】
工程ａ）の前記繊維性基材の含浸が閉じたモールド中で行われることを特徴とする、請求項１５に記載の製造方法。
【請求項１７】
前記方法が樹脂トランスファ成形及び注入から選択されることを特徴とする、請求項１５又は１６に記載の製造方法。
【請求項１８】
請求項１４に記載の複合材料で製造される、又は請求項１５から１７の何れか一項に記載の製造方法を介して得られる透明な機械的部品又は構造部品。
【請求項１９】
前記部品が、建設及び建築部品（ファサード、パネル、屋根）、自動車部品、船部品、列車部品、スポーツ物品、飛行機又はヘリコプター部品、宇宙船又はロケット部品、太陽光発電モジュール部品、風力タービン部品、家具部品、電話又は携帯電話部品、コンピュータ又はテレビ部品、プリンタ又はコピー機部品である、請求項１８に記載の部品。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
（ａ）（ｉ）少なくとも１つのツェレビチノフ活性水素原子を含んでなる少なくとも１種の開始剤、
（ｉｉ）天然油成分または天然油成分の混合物、
および
（ｉｉｉ）少なくとも１種のアルキレンオキシド
の、
（ｉｖ）少なくとも１種のアルカリ触媒であって、前記アルキレンオキシドを完全に反応させる、アルカリ触媒
の存在下でのエステル交換／アルコキシル化生成物を含んでなる、平均ヒドロキシル官能価１．７〜５．０、数平均分子量約３５０〜約７２５およびＯＨ価１９０〜５００を有する、天然油ベースポリオールを含んでなる透明な液体ベースポリオール成分と、
（ｂ）少なくとも１種のエチレン系不飽和モノマーと、
所望により、
（ｃ）予備形成された安定剤と
の、
（ｄ）フリーラジカル重合開始剤、
および、所望により、
（ｅ）連鎖移動剤
の存在下でのフリーラジカル重合生成物を含んでなる、安定な低粘度ポリマーポリオール。
【請求項２】
（ａ）（ｉｖ）前記アルカリ触媒が、水酸化カリウム、水酸化ナトリウム、ナトリウムメトキシド、カリウムメトキシド、ステアリン酸ナトリウム、酸化カルシウムおよびＮ−メチルイミダゾールの１種または複数種の化合物を含んでなる、請求項１に記載の安定な低粘度ポリマーポリオール。
【請求項３】
（ａ）（ｉｖ）前記アルカリ触媒が、真空グリセリン出発媒質中の水酸化カリウムを含んでなる、請求項１に記載の安定な低粘度ポリマーポリオール。
【請求項４】
（ａ）前記透明な液体ベースポリオールが、平均ヒドロキシル官能価２．４〜４．４、数平均分子量４００〜６００、およびＯＨ価３００〜４００を有する、請求項１に記載の安定な低粘度ポリマーポリオール。
【請求項５】
（ａ）（ｉ）少なくとも１つのツェレビチノフ活性水素原子を含んでなる前記開始剤が、ヒドロキシル基を含有する化合物、アミン基を含有する化合物、それらの混合物およびそれらのアルコキシレートからなる群から選択される、請求項１に記載の安定な低粘度ポリマーポリオール。
【請求項６】
（ａ）（ｉｉ）前記天然油成分が、大豆油を含んでなる、請求項１に記載の安定な低粘度ポリマーポリオール。
【請求項７】
（ｂ）前記エチレン系不飽和モノマーが、スチレン、アクリロニトリルおよびそれらの混合物からなる群から選択される、請求項１に記載の安定な低粘度ポリマーポリオール。
【請求項８】
（ｄ）前記フリーラジカル重合開始剤が、ペルオキシド、アゾ化合物およびそれらの混合物からなる群から選択される、請求項１に記載の安定な低粘度ポリマーポリオール。
【請求項９】
安定な低粘度ポリマーポリオールの製造方法であって、
（１）（ａ）（ｉ）少なくとも１つのツェレビチノフ活性水素原子を含んでなる少なくとも１種の開始剤、
（ｉｉ）天然油成分または天然油成分の混合物、
および
（ｉｉｉ）少なくとも１種のアルキレンオキシド
の、
（ｉｖ）少なくとも１種の塩基性触媒であって、前記アルキレンオキシドを完全に反応させる、塩基性触媒
の存在下でのエステル交換／アルコキシル化生成物を含んでなる、官能価１．７〜５．０、分子量約３５０〜約７２５およびＯＨ価１９０〜５００を有する、天然油ベースポリオールを含んでなる透明な液体ベースポリオール成分と、
（ｂ）少なくとも１種のエチレン系不飽和モノマーと、
所望により、
（ｃ）予備形成された安定剤と
の、
（ｄ）フリーラジカル重合開始剤、
および、所望により、
（ｅ）連鎖移動剤
の存在下でのフリーラジカル重合を含む、方法。
【請求項１０】
（ａ）（ｉｖ）前記アルカリ触媒が、水酸化カリウム、水酸化ナトリウム、ナトリウムメトキシド、カリウムメトキシド、ステアリン酸ナトリウム、酸化カルシウムおよびＮ−メチルイミダゾールの１種または複数種の化合物を含んでなる、請求項９に記載の方法。
【請求項１１】
（ａ）（ｉｖ）前記アルカリ触媒が、真空グリセリン出発媒質中の水酸化カリウムを含んでなる、請求項９に記載の方法。
【請求項１２】
（ａ）前記透明な液体ベースポリオールが、平均ヒドロキシル官能価２．４〜４．４、数平均分子量４００〜６００、およびＯＨ価３００〜４００を有する、請求項９に記載の方法。
【請求項１３】
（ａ）（ｉ）少なくとも１つのツェレビチノフ活性水素原子を含んでなる前記開始剤が、ヒドロキシル基を含有する化合物、アミン基を含有する化合物、それらの混合物およびそれらのアルコキシレートからなる群から選択される、請求項９に記載の方法。
【請求項１４】
（ａ）（ｉｉ）前記天然油成分が、大豆油を含んでなる、請求項９に記載の方法。
【請求項１５】
（ｂ）前記エチレン系不飽和モノマーが、スチレン、アクリロニトリルおよびそれらの混合物からなる群から選択される、請求項９に記載の方法。
【請求項１６】
（ｄ）前記フリーラジカル重合開始剤が、ペルオキシド、アゾ化合物およびそれらの混合物からなる群から選択される、請求項９に記載の方法。
【請求項１７】
ポリイソシアネート成分とイソシアネート反応性成分とを、少なくとも１種の発泡剤、少なくとも１種の触媒、および少なくとも１種の界面活性剤の存在下で反応させる工程を含むポリウレタンフォームの製造方法であって、前記イソシアネート反応性成分は、請求項１に記載のポリマーポリオールを含んでなる、方法。
【請求項１８】
ポリイソシアネート成分とイソシアネート反応性成分との、少なくとも１種の発泡剤、少なくとも１種の触媒および少なくとも１種の界面活性剤の存在下での反応生成物を含んでなるポリウレタンフォームであって、前記イソシアネート反応性成分は、請求項１に記載のポリマーポリオールを含んでなる、ポリウレタンフォーム。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
ジルコニア歯科用物品を着色及び蛍光付与するための溶液であって、前記溶液は、
溶媒と、
Ｔｂ、Ｅｒ、Ｐｒ、Ｍｎ、及びこれらの組み合わせから選択される金属イオンを含む着色剤と、
Ｂｉのイオンを含む蛍光剤と、を含み、
前記溶液は、前記溶液全体の重量に対して、約０．０５重量％を超える量の鉄イオンを含まない、溶液。
【請求項２】
前記蛍光剤のイオン対前記着色剤のイオンのモル比が、約１：１０〜約１：２０００又は約１：２０〜約１：１５００の範囲にある、請求項１に記載の溶液。
【請求項３】
前記溶媒は、水、アルコール類、ケトン類、グリコール類、及びこれらの組み合わせから選択される、請求項１又は２に記載の溶液。
【請求項４】
以下の特徴、
ｐＨ値は、溶液が水を含む場合、０〜９であること、
粘度は、２３℃で１〜２，０００ｍＰａ・ｓであること、
透明であること、のうち、少なくとも１つ又は全てを特徴とする、請求項１〜４のいずれか一項に記載の溶液。
【請求項５】
前記溶液の量に対する重量％で、以下の量の構成成分、
約１５〜約９９重量％の溶媒、
着色剤中の金属イオンに対して算出される、約０．０５〜約１０重量％の着色剤、
蛍光剤中の金属イオンに対して算出される、約０．００５〜約３重量％の蛍光剤、
を含む、請求項１〜４のいずれか一項に記載の溶液。
【請求項６】
前記溶液の重量に対して約０．１重量％を超える量の、Ｄｙ、Ｎｄ、Ｓｍ、Ｅｕ、及びこれらの組み合わせから選択されるイオンと、
ＳｉＯ２、ＴｉＯ２、ＺｒＯ２及びこれらの組み合わせから選択される不溶性粒子と、のうち、少なくとも１つ又は全てを含まない、請求項１〜５のいずれか一項に記載の溶液。
【請求項７】
前記溶液の重量に対する重量％で、
２０〜９５重量％の量の、溶媒としての水と、
金属イオンに対して算出される、０．２〜８重量％の量の、Ｔｂ、Ｅｒ、Ｍｎ又はこれらの組み合わせのイオンを含む着色剤と、
金属イオンに対して算出される、０．０２〜２重量％の量の、Ｂｉのイオンを含む蛍光剤と、を含み、
前記溶液は、０．０５重量％を超える量のＦｅイオンを含まず、
前記溶液は、約０．１重量％を超える量のＤｙ、Ｎｄ、Ｓｍ、Ｅｕ、又はこれらの組み合わせから選択されるイオンを含まず、
前記溶液は０〜９の範囲のｐＨ値を有し、
前記溶液は、２３℃で１〜２，０００ｍＰａ・ｓの範囲の粘度を有する、請求項１〜６のいずれか一項に記載の溶液。
【請求項８】
ジルコニア歯科用物品を着色する方法であって、前記方法は、
多孔質のジルコニア歯科用物品を準備する工程と、
前記ジルコニア歯科用物品を、請求項１〜７のいずれか一項に記載の溶液で処理する工程と、
任意に、前記処理された多孔質ジルコニア歯科用物品を、理論密度の少なくとも９９．５％が得られるまで加熱する工程と、を含む、方法。
【請求項９】
パーツキットであって、
請求項１〜８のいずれか一項に記載の溶液であって、リザーバと開口部とを含む装置に任意に収容される溶液と、
請求項１〜８のいずれか一項に記載のジルコニア歯科用物品と、
任意の塗布装置と、
任意の使用説明書と、を含むパーツキット。
【請求項１０】
着色液（Ａ）を収容する収容部と、蛍光液（Ｂ）を収容する収容部と、を含むパーツキットであって、
前記着色液（Ａ）は、溶媒と、Ｔｂ、Ｅｒ、Ｐｒ、Ｍｎ、及びこれらの組み合わせから選択されるイオンを含む着色剤と、を含み、
前記蛍光液（Ｂ）は、溶媒と、Ｂｉのイオンを含む蛍光剤と、を含み、
前記着色液（Ａ）及び前記蛍光液（Ｂ）は、混合した場合に、混合物の重量の約０．０５重量％を超える量のＦｅイオンを含まない、パーツキット。
【手続補正書】
【提出日】平成28年12月23日(2016.12.23)
【手続補正１】
【補正対象書類名】特許請求の範囲
【補正対象項目名】全文
【補正方法】変更
【補正の内容】
【特許請求の範囲】
【請求項１】
低分子ヘパリンと、
２以上の胃腸上皮バリア透過エンハンサの相乗的に有効な組み合わせと、
経口投与送達媒体と
を有していることを特徴とする経口投与組成物。
【請求項２】
前記２以上の胃腸上皮バリア透過エンハンサの組み合わせは、前記低分子ヘパリンの胃腸上皮バリア透過を各胃腸上皮バリア透過エンハンサの加算合計によって達成されるより３倍以上高めることを特徴とする請求項１に記載の経口投与組成物。
【請求項３】
前記２以上の胃腸上皮バリア透過エンハンサの組み合わせは２以上の密着結合調整因子を有していることを特徴とする請求項１に記載の経口投与組成物。
【請求項４】
前記密着結合調整因子は、プロテアーゼ、胆汁酸、多糖、脂肪酸及びその塩、並びにこれらの組み合わせからなる群から選択されていることを特徴とする請求項３に記載の経口投与組成物。
【請求項５】
前記密着結合調整因子はプロテアーゼを有していることを特徴とする請求項４に記載の経口投与組成物。
【請求項６】
前記密着結合調整因子はブロメライン又はその酵素成分であることを特徴とする請求項５に記載の経口投与組成物。
【請求項７】
前記密着結合調整因子は多糖であることを特徴とする請求項４に記載の経口投与組成物。
【請求項８】
前記多糖はキトサンであることを特徴とする請求項７に記載の経口投与組成物。
【請求項９】
前記多糖はカルボキシメチルキトサンであることを特徴とする請求項８に記載の経口投与組成物。
【請求項１０】
前記２以上の胃腸上皮バリア透過エンハンサの組み合わせは、カルボキシメチルキトサン及びブロメラインを有していることを特徴とする請求項９に記載の経口投与組成物。
【請求項１１】
カルボキシメチルキトサン及びブロメラインは、カルボキシメチルキトサン及びブロメラインの加算合計によって達成されるより胃腸上皮バリア透過を３倍以上高めるのに十分な割合で存在していることを特徴とする請求項１０に記載の経口投与組成物。
【請求項１２】
前記２以上の胃腸上皮バリア透過エンハンサの組み合わせは、約0.75％w/v 〜約３％w/v のカルボキシメチルキトサン、及び約0.125 mg/mL 〜約0.5 mg/mL のブロメラインを有していることを特徴とする請求項１０に記載の経口投与組成物。
【請求項１３】
前記２以上の胃腸上皮バリア透過エンハンサの組み合わせは、約1.5 ％w/v のカルボキシメチルキトサン、及び約0.25 mg/mLのブロメラインを有していることを特徴とする請求項１０に記載の経口投与組成物。
【請求項１４】
前記多糖は未修飾キトサンであることを特徴とする請求項８に記載の経口投与組成物。
【請求項１５】
前記多糖はチオール化されていないキトサンであることを特徴とする請求項１４に記載の経口投与組成物。
【請求項１６】
前記２以上の胃腸上皮バリア透過エンハンサの組み合わせは、未修飾キトサン及びブロメラインを有していることを特徴とする請求項１４に記載の経口投与組成物。
【請求項１７】
低分子ヘパリンと、
未修飾キトサン及びブロメラインの加算合計によって達成されるより胃腸上皮バリア透過を高めるのに十分な量の未修飾キトサン及びブロメラインの相乗的に有効な組み合わせと、
経口投与送達媒体と
を有していることを特徴とする経口投与組成物。
【請求項１８】
低分子ヘパリンと、２以上の胃腸上皮バリア透過エンハンサの相乗的に有効な組み合わせと、経口投与送達媒体とを有している経口投与組成物を製造することを特徴とする方法。
【請求項１９】
前記２以上の胃腸上皮バリア透過エンハンサの組み合わせは、前記低分子ヘパリンの胃腸上皮バリア透過を各胃腸上皮バリア透過エンハンサの加算合計によって達成されるより３倍以上高めることを特徴とする請求項１８に記載の方法。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
炎症を起こしたか又は機能不全のマイボーム腺のマイバム組成物の質を改善するための組成物であって、前記組成物は、
１日量単位で有効な量のオメガ−３脂肪酸からなる活性成分を含み、前記オメガ−３脂肪酸は６００ｍｇを超える量でありかつトリグリセリドの形態を含んでなるエイコサペンタエン酸（ＥＰＡ）を含み、
前記組成物は、治療されるマイボーム腺のマイバムの組成物中の抗炎症性のオメガ−３のレベルを増大させるとともに前記マイバムの組成物中の炎症性のオメガ−６のレベルを減少させるものである、組成物。
【請求項２】
前記有効な量のオメガ−３脂肪酸は、２，０００ｍｇ〜３，０００ｍｇの量を含んでなる、請求項１に記載の炎症を起こしたか又は機能不全のマイボーム腺のマイバム組成物の質を改善するための組成物。
【請求項３】
前記ＥＰＡは再エステル化されたトリグリセリドの形態を含んでなる、請求項１に記載の炎症を起こしたか又は機能不全のマイボーム腺のマイバム組成物の質を改善するための組成物。
【請求項４】
前記ＥＰＡは１，６００ｍｇ〜２，５００ｍｇの量を含んでなる、請求項１に記載の炎症を起こしたか又は機能不全のマイボーム腺のマイバム組成物の質を改善するための組成物。
【請求項５】
前記ＥＰＡは１，６００ｍｇ〜１，８００ｍｇの量を含んでなる、請求項１に記載の炎症を起こしたか又は機能不全のマイボーム腺のマイバム組成物の質を改善するための組成物。
【請求項６】
前記有効な量の前記オメガ−３脂肪酸は５００ｍｇを超える量のドコサヘキサエン酸（ＤＨＡ）を含む、請求項１に記載の炎症を起こしたか又は機能不全のマイボーム腺のマイバム組成物の質を改善するための組成物。
【請求項７】
前記ＤＨＡは５００ｍｇ〜９００ｍｇの量を含んでなる、請求項６に記載の炎症を起こしたか又は機能不全のマイボーム腺のマイバム組成物の質を改善するための組成物。
【請求項８】
前記有効な量のオメガ−３脂肪酸は前記量のＥＰＡ及び前記量のＤＨＡを３：１の比で含んでなる、請求項６に記載の炎症を起こしたか又は機能不全のマイボーム腺のマイバム組成物の質を改善するための組成物。
【請求項９】
前記組成物は哺乳動物の涙液の質を改善するものである、請求項１に記載の炎症を起こしたか又は機能不全のマイボーム腺のマイバム組成物の質を改善するための組成物。
【請求項１０】
前記組成物は哺乳動物の涙液層破壊時間を改善するものである、請求項１に記載の炎症を起こしたか又は機能不全のマイボーム腺のマイバム組成物の質を改善するための組成物。
【請求項１１】
前記組成物は哺乳動物の涙液浸透圧モル濃度を低減するものである、請求項１に記載の炎症を起こしたか又は機能不全のマイボーム腺のマイバム組成物の質を改善するための組成物。
【手続補正２】
【補正対象書類名】明細書
【補正対象項目名】発明の名称
【補正方法】変更
【補正の内容】
【発明の名称】マイボーム腺を標的とする組成物
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
鼻詰まりを緩和するための医薬製剤であって、フェニレフリン及びカチオン性ポリスチレンスルホン酸を含む薬物−樹脂複合体を含み、前記カチオン性ポリスチレンスルホン酸が、前記フェニレフリンと組み合わされる前に、約７４μｍ〜約１７７μｍの粒径の粒子を含む、医薬製剤。
【請求項２】
風邪、インフルエンザ、アレルギー、又は非アレルギー性鼻炎の症状を治療するための医薬製剤であって、フェニレフリン及びカチオン性ポリスチレンスルホン酸を含む薬物−樹脂複合体を含み、前記カチオン性ポリスチレンスルホン酸が約７４μｍ〜約１７７μｍの粒径の粒子を含む、医薬製剤。
【請求項３】
前記カチオンが、ナトリウム、銅、亜鉛、鉄、カルシウム、ストロンチウム、マグネシウム及びリチウムからなる群から選択される、請求項１に記載の医薬製剤。
【請求項４】
前記カチオンがナトリウムである、請求項３に記載の医薬製剤。
【請求項５】
前記薬物−樹脂複合体が、コーティングで被覆されている、請求項４に記載の医薬製剤。
【請求項６】
前記コーティングが、セルロース材料を含む、請求項５に記載の医薬製剤法。
【請求項７】
前記セルロース材料が、酢酸セルロース及びヒドロキシプロピルセルロースからなる群から選択される、請求項６に記載の医薬製剤。
【請求項８】
前記医薬製剤が、約６時間毎、８時間毎、１２時間毎、１６時間毎、２０時間毎又は２４時間毎に投与される、請求項１に記載の医薬製剤。
【請求項９】
前記医薬製剤が、約１２時間毎に投与される、請求項８に記載の医薬製剤。
【請求項１０】
前記医薬製剤が、約８時間毎に投与される、請求項９に記載の医薬製剤。
【請求項１１】
フェニレフリンの持続した生物学的利用能を維持するための医薬製剤であって、フェニレフリン及びカチオン性ポリスチレンスルホン酸を含む薬物−樹脂複合体を含み、前記カチオン性ポリスチレンスルホン酸が、約７４μｍ〜約１７７μｍの粒径の粒子を含み、対象の血漿フェニレフリン濃度が、摂取後約６時間、約８時間、約１２時間、約１６時間、約２０時間、又は約２４時間で、少なくとも約２０ｐｇ／ｍＬ、約４０ｐｇ／ｍＬ、約６０ｐｇ／ｍＬ、約８０ｐｇ／ｍＬ、約１００ｐｇ／ｍＬ、約１２０ｐｇ／ｍＬ、約１４０ｐｇ／ｍＬ、約１６０ｐｇ／ｍＬ、約１８０ｐｇ／ｍＬ又は約２００ｐｇ／ｍＬである、医薬製剤。
【請求項１２】
前記粒子の少なくとも約５０％が、約７４μｍ〜約１７７μｍの粒径を有する、請求項１に記載の医薬製剤。
【請求項１３】
前記粒子の少なくとも約８０％が、約７４μｍ〜約１７７μｍの粒径を有する、請求項１２に記載の医薬製剤。
【請求項１４】
前記粒子の少なくとも約９０％が、約７４μｍ〜約１７７μｍの粒径を有する、請求項１３に記載の医薬製剤。
【請求項１５】
前記粒子の１５％未満が、約４４μｍ未満の粒径を有する、請求項１に記載の医薬製剤。
【手続補正２】
【補正対象書類名】明細書
【補正対象項目名】０１５７
【補正方法】変更
【補正の内容】
【０１５７】
Ｓｕｚｕｋｉ  Ｏ．Ｍａｔｓｕｍｏｔｏ  Ｔ．Ｏｙａ  Ｍ，Ｋａｔｓｕｍａｔａ  Ｙ．Ｏｘｉｄａｔｉｏｎ  ｏｆ  ｓｙｎｅｐｈｒｉｎｅ  ｂｙ  ｔｙｐｅ  Ａ  ａｎｄ  ｔｙｐｅ  Ｂ  ｍｏｎｏａｍｉｎｅ  ｏｘｉｄａｓｅ．Ｅｘｐｅｒｉｅｎｔｉａ  １９７９；３５：１２８３〜１２８４。

以下に、本願の当初の特許請求の範囲に記載された発明を付記する。
［１］
鼻詰まりを緩和する方法であって、医薬製剤を投与することを含み、前記医薬製剤が、フェニレフリン及びカチオン性ポリスチレンスルホン酸を含む薬物−樹脂複合体を含み、前記カチオン性ポリスチレンスルホン酸が、前記フェニレフリンと組み合わされる前に、約７４μｍ〜約１７７μｍの粒径の粒子を含む、方法。
［２］
治療を必要とする対象において、風邪、インフルエンザ、アレルギー、又は非アレルギー性鼻炎の症状を治療する方法であって、医薬製剤を投与することを含み、前記医薬製剤が、フェニレフリン及びカチオン性ポリスチレンスルホン酸を含む薬物−樹脂複合体を含み、前記カチオン性ポリスチレンスルホン酸が約７４μｍ〜約１７７μｍの粒径の粒子を含む、方法。
［３］
前記カチオンが、ナトリウム、銅、亜鉛、鉄、カルシウム、ストロンチウム、マグネシウム及びリチウムからなる群から選択される、［１］に記載の方法。
［４］
前記カチオンがナトリウムである、［３］に記載の方法。
［５］
前記薬物−樹脂複合体が、コーティングで被覆されている、［４］に記載の方法。
［６］
前記コーティングが、セルロース材料を含む、［５］に記載の方法。
［７］
前記セルロース材料が、酢酸セルロース及びヒドロキシプロピルセルロースからなる群から選択される、［６］に記載の方法。
［８］
前記医薬製剤が、約６時間毎、８時間毎、１２時間毎、１６時間毎、２０時間毎又は２４時間毎に投与される、［１］に記載の方法。
［９］
前記医薬製剤が、約１２時間毎に投与される、［８］に記載の方法。
［１０］
前記医薬製剤が、約８時間毎に投与される、［９］に記載の方法。
［１１］
対象において、フェニレフリンの持続した生物学的利用能を維持する方法であって、フェニレフリン及びカチオン性ポリスチレンスルホン酸を含む薬物−樹脂複合体を含む医薬製剤を投与することを含み、前記カチオン性ポリスチレンスルホン酸が、約７４μｍ〜約１７７μｍの粒径の粒子を含み、前記対象の血漿フェニレフリン濃度が、摂取後約６時間、約８時間、約１２時間、約１６時間、約２０時間、又は約２４時間で、少なくとも約２０ｐｇ／ｍＬ、約４０ｐｇ／ｍＬ、約６０ｐｇ／ｍＬ、約８０ｐｇ／ｍＬ、約１００ｐｇ／ｍＬ、約１２０ｐｇ／ｍＬ、約１４０ｐｇ／ｍＬ、約１６０ｐｇ／ｍＬ、約１８０ｐｇ／ｍＬ又は約２００ｐｇ／ｍＬである、方法。
［１２］
前記粒子の少なくとも約５０％が、約７４μｍ〜約１７７μｍの粒径を有する、［１］に記載の方法。
［１３］
前記粒子の少なくとも約８０％が、約７４μｍ〜約１７７μｍの粒径を有する、［１］２に記載の方法。
［１４］
前記粒子の少なくとも約９０％が、約７４μｍ〜約１７７μｍの粒径を有する、［１］３に記載の方法。
［１５］
前記粒子の１５％未満が、約４４μｍ未満の粒径を有する、［１］に記載の方法。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
患者の内部ターゲットを処置するための治療計画システムであって、
内部ターゲットを処置するために、事前プロシージャの計画画像及び事前プロシージャの追跡データに基づく内部ターゲットと外部体表面との間の対応関係を含む複数の処置フラクションを有する処置計画を受け取り、
前記複数の処置フラクションのうち１又は複数の選択された処置フラクションの前に、ターゲットのフラクション前計画画像を受け取り；患者の外部体表面の追跡データを受け取り；及び、前記受け取ったフラクション前計画画像及び前記受け取った追跡データに基づいて前記内部ターゲットと外部体表面との間の対応関係を更新し、
前記処置計画に従って及び前記更新された対応関係を使用して患者に治療を供給する治療デリバリシステムに、前記処置計画及び前記更新された対応関係を提供する、
ようにプログラムされた少なくとも１つのプロセッサを有する、治療計画システム。
【請求項２】
前記少なくとも１つのプロセッサが更に、前記受け取ったフラクション前計画画像及び前記受け取った追跡データに基づいて前記処置計画を更新するようにプログラムされる、請求項１に記載の治療計画システム。
【請求項３】
前記処置計画は、ターゲットを含む事前プロシージャの計画画像を使用して生成され、前記受け取った追跡データは、前記事前プロシージャの計画画像の生成に対応する、請求項１又は２に記載の治療計画システム。
【請求項４】
前記フラクション前計画画像が４次元である、請求項１乃至３のいずれか１項に記載の治療計画システム。
【請求項５】
前記治療デリバリシステムが更に、治療のデリバリの間、前記更新された対応関係を使用して前記処置計画の計画ターゲットボリュームを動的に調整するように構成される、請求項１乃至４のいずれか１項に記載の治療計画システム。
【請求項６】
前記治療デリバリシステムが更に、治療のデリバリの間、前記更新された対応関係を使用して治療ビームをゲーティングする、請求項１乃至５のいずれか１項に記載の治療計画システム。
【請求項７】
前記少なくとも１つのプロセッサが更に、前記受け取ったフラクション前計画画像を、前記受け取った追跡データと時間的に同期させるようにプログラムされる、請求項１乃至６のいずれか１項に記載の治療計画システム。
【請求項８】
前記時間的な同期が患者の呼吸フェーズに基づく、請求項７に記載の治療計画システム。
【請求項９】
前記処置計画は、ターゲットを含む事前プロシージャの計画画像を使用して生成され、前記少なくとも１つのプロセッサが更に、前記事前プロシージャの計画画像を、前記受け取ったフラクション前計画画像と時間的に同期させるようにプログラムされる、請求項１乃至８のいずれか１項に記載の治療計画システム。
【請求項１０】
患者の内部ターゲットを処置する治療デリバリ方法であって、
内部ターゲットを処置するために処置計画を受け取るステップであって、前記処置計画が、事前プロシージャの計画画像及び事前プロシージャの追跡データに基づく内部ターゲットと外部体表面との間の対応関係を含む複数の処置フラクションを有する、ステップと、
前記複数の処置フラクションのうち選択された１又は複数の処置フラクションの前に、ターゲットのフラクション前計画画像を受け取り；患者の外部体表面の追跡データを受け取り；及び、前記受け取ったフラクション前計画画像及び前記受け取った追跡データに基づいて、内部ターゲットと外部体表面との間の対応関係を更新する、ステップと
前記処置計画に従って及び前記更新された対応関係を使用して前記患者に治療を供給する治療デリバリシステムに、前記処置計画及び前記更新された対応関係を提供するステップと、
を含む治療デリバリ方法。
【請求項１１】
患者の内部ターゲットの処置を制御するようプログラムされた１又は複数のプロセッサであって、
内部ターゲットを処置するために処置計画を受け取るステップであって、前記処置計画が、事前プロシージャの計画画像及び事前プロシージャの追跡データに基づく内部ターゲットと外部体表面との間の対応関係を含む複数の処置フラクションを有する、ステップと、
前記複数の処置フラクションのうち選択された１又は複数の処置フラクションの前に、ターゲットのフラクション前計画画像を受け取り；患者の外部体表面の追跡データを受け取り；及び、前記受け取ったフラクション前計画画像及び前記受け取った追跡データに基づいて、内部ターゲットと外部体表面との間の対応関係を更新する、ステップと
前記処置計画に従って及び前記更新された対応関係を使用して前記患者に治療を供給する治療デリバリシステムに、前記処置計画及び前記更新された対応関係を提供するステップと、
を実行するようプログラムされた１又は複数のプロセッサ。
【請求項１２】
前記受け取ったフラクション前計画画像及び前記受け取った追跡データに基づいて前記処置計画を更新するステップを更に実行する、請求項１１に記載の１又は複数のプロセッサ。
【請求項１３】
患者の内部ターゲットの処置を制御するよう１又は複数のプロセッサを制御するソフトウェアを担持した非一時的コンピュータ可読媒体であって、前記ソフトウェアは、
内部ターゲットを処置するために処置計画を受け取るステップであって、前記処置計画が、事前プロシージャの計画画像及び事前プロシージャの追跡データに基づく内部ターゲットと外部体表面との間の対応関係を含む複数の処置フラクションを有する、ステップと、
前記複数の処置フラクションのうち選択された１又は複数の処置フラクションの前に、ターゲットのフラクション前計画画像を受け取り；患者の外部体表面の追跡データを受け取り；及び、前記受け取ったフラクション前計画画像及び前記受け取った追跡データに基づいて、内部ターゲットと外部体表面との間の対応関係を更新する、ステップと
前記処置計画に従って及び前記更新された対応関係を使用して前記患者に治療を供給する治療デリバリシステムに、前記処置計画及び前記更新された対応関係を提供するステップと、
を前記プロセッサに実行させる、非一時的コンピュータ可読媒体。
【請求項１４】
前記ソフトウェアが更に、前記受け取ったフラクション前計画画像及び前記受け取った追跡データに基づいて前記処置計画を更新するステップを前記プロセッサに実行させる、請求項１３に記載の非一時的コンピュータ可読媒体。
【請求項１５】
患者の内部ターゲットを処置するための治療デリバリシステムであって、
内部ターゲットを処置するための処置計画を生成する計画システムであって、前記処置計画が、複数の処置フラクションを有する、計画システムと、
前記複数の処置フラクションのうち選択された処置フラクションの前に、内部ターゲットのサイズ及び形状を更新し、前記更新された内部ターゲットのサイズ及び形状について前記処置計画を更新する同期モジュールと、
を有し、前記計画システムが、前記更新された処置計画に従って患者に治療を供給するデリバリ制御システムに、前記更新された処置計画を提供する、治療デリバリシステム。